(57)【特許請求の範囲】
【請求項１】
容器本体と、異材質で形成され前記容器本体の肩または底部分に嵌着される異材質部材とを有する容器であって、前記異材質部材の側面に板材を挿入するための横長のスリットを設けるとともに、板材を挿入した際、該スリットの上辺又は下辺をヒンジとして内側に回動可能な、前記スリットを塞ぐ蓋を形成し、該蓋は前記容器本体のくぼみ部側に倒れて前記板材と容器本体との間に介在する構造とし、前記スリットに対応する、前記容器本体の位置にくぼみ部を設けて前記異材質部材の内面との間に前記板材の挿入を許容する空間を形成し、該空間と前記スリットとを連続させ、前記蓋体に当接する前記板材の先端を支点として前記板材を梃子として動かすことにより前記異材質部材を前記容器本体から分離可能としたことを特徴とする異材質部材組付容器。
【発明の詳細な説明】
【０００１】
【発明の属する技術分野】
本発明は、容器の肩部分若しくは底部分、あるいはその両方に容器本体とは異なる材質を以て形成された部材を取り付けた容器に関するものであり、特に前記容器本体とこれら部材の分離を容易なものとする異材質部材組付容器に関するものである。
【０００２】
【従来の技術】
各種瓶類やスプレー缶、ペットボトルなどにおいて、美観や耐衝撃性、容器の安定性等を高める理由から、このような容器本体の肩部分または底部分に異材質で形成された別部材を嵌着して構成することがある。このような異材質部材はその商品を使用している間は容器本体に嵌着されている必要があり、不用意に外れてしまうことがないよう堅固に取り付けられているものが多い。
【０００３】
【発明が解決しようとする課題】
しかしながら近年は、資源のリサイクル運動の高まりからゴミの分別収集、資源の再利用が広く行われるようになってきた。このため、上記のような異材質部材を有する商品は、これを破棄する際には容器本体と異材質部材を分離させる必要がある。しかし上述のように堅固に取り付けられた異材質部材を分離させることは難しく、結果として収集された容器が再資源として利用されないという問題点があった。
【０００４】
そこで、本発明の目的は、一定の強度で取り付けられた異材質部材であっても、容器を破棄する際、これを簡単に取り外すことができる異材質部材組付容器を提供することにある。
【０００５】
【課題を解決するための手段】
上記課題を解決するために、本発明は、容器本体と、異材質で形成され前記容器本体の肩または底部分に嵌着される異材質部材とを有する容器であって、前記異材質部材の側面に板材を挿入するための横長のスリットを設けるとともに、板材を挿入した際、該スリットの上辺又は下辺をヒンジとして内側に回動可能な、前記スリットを塞ぐ蓋を形成し、該蓋は前記容器本体のくぼみ部側に倒れて前記板材と容器本体との間に介在する構造とし、前記スリットに対応する、前記容器本体の位置にくぼみ部を設けて前記異材質部材の内面との間に前記板材の挿入を許容する空間を形成し、該空間と前記スリットとを連続させ、前記蓋体に当接する前記板材の先端を支点として前記板材を梃子として動かすことにより前記異材質部材を前記容器本体から分離可能としたことを特徴とする。
【０００６】
【発明の実施の形態】
図を用いて本発明に係る容器の第１実施例を詳細に説明する。図１は本発明に係る容器の外観斜視図、図２は本発明に係る容器の側面部分断面図、図３乃至図５は異材部材を外す際の動作を説明する図である。
【０００７】
図１に示すように、本実施例に係る異材質部材組付容器（以下、単に容器という）Ａの容器本体１はガラス製の断面が楕円形となった円筒体であって、容器本体１の肩部13側には細い円筒状の首部11が設けられている。首部11外周にはネジが形成され、図示しない蓋を嵌合するよう構成されている。
【０００８】
容器本体１の底部12には、底板２ａと該底板２ａの周囲の周側片２ｂから形成される、カップ状の底部材２を嵌合している。この底部材２は合成樹脂で成形されており、その底板２ａは容器本体１の断面と等しい形状および形状を有し、底部材２を容器本体１に取り付けた場合は容器本体１の側面と意匠的に一体になる。
【０００９】
底部材２の周側片２ｂには、横長のスリット２ｃが形成されている。このスリット２ｃには、上辺がヒンジ２ｄとなって内側に可倒する蓋２ｅが一体成形されており、通常はスリット２ｃは塞がれた状態となっている。
【００１０】
図２に示すように、底部材２の周側片２ｂの内側には係止突起２ｆが設けられており、この係止突起２ｆを前述の底部12に設けられたリップ12ａに係止することにより、底部材２が容器本体１に係止されている。また、前記底部材２のスリット２ｃ位置に対応するように、底部12の一部は大きく内側に凹んでくぼみ部12ｂが形成されており、底部材２を底部12に嵌合した際に、底部材２と容器本体１の間に空間４が形成される。このため、コイン５を蓋２ｅを倒しながら、スリット２ｃに押し込むことにより、板材であるコイン５の先端を空間４に挿入することができる。
【００１１】
次に、図３乃至図５を用いて、上記のごとく構成された容器から異材質部材である底部材２を分別させる際の操作を説明する。まず図３に示すように、コイン５の先端５ａでスリット２ｃの蓋２ｅを倒しながら、底部材２のスリット２ｃにこのコイン５を差し込む。図４に示すように、かかる状態においては、スリット２ｃの蓋２ｅが内側に倒れ、空間４を形成する容器本体１側のくぼみ部12ｂ上面に当接する。
【００１２】
そして、図５に示すように、把持したコイン５の後端側を押し下げることにより、コイン５の先端５ａを支点としてこれを回動させ、その中途部５ｂをスリット２ｃの下辺部２ｇに当接させる。さらにコイン５の後端を押し下げ、底部材２を容器Ａから取り外すように、底部材２に力を加えると、底部材２の係止突起２ｆがリップ12ａを乗り越え、両者の係合を解除することができる。
【００１３】
このとき、コイン５の先端５ａが支点Ｘ、コイン５の後端が力点（図示せず）、コイン５の中途部５ｂが作用点Ｙとなる梃子となり、小さな力で底部材２を簡単に取り外すことができる。このため、使用者がこれを破棄する際、ガラス部材と合成樹脂部材とを簡単に分別して廃棄することが可能となる。
【００１４】
なお、この際、倒れたスリット２ｃの蓋２ｅがコイン５の先端５ａと容器本体１のくぼみ部12ｂ上面との間に介在し、コイン５の先端５ａを動かした際、コイン５は容器本体１と直接接触しない。そのため、支点Ｘとしてコイン５の先端に力を加えたとしても、ガラス製の容器本体１を欠いてしまったり、ガラスと金属の摩擦音が発生することを防止することができる。
【００１５】
本発明の第２実施例を図６及び図７を用いて説明する。本実施例は、底部材２の内側に係止片２ｈを設けて、係止突起２ｆをこの先端に形成したものである。図６及び図７はいずれも第３実施例の異材質組付容器Ｂの部分断面図である。なお、第１実施例と同様の構成は同じ符号を付して説明を省略する（以下に述べる他の実施例も同じ）。
【００１６】
図６に示すように、容器本体１のくぼみ部12ｂの側面にリップ12ｃを形成しており、底部材２を容器本体１に組み付けた際、このリップ12ｃに係止片２ｈの係止突起２ｆが係合し、底部材２が固定される。
【００１７】
一方、図７に示すように底部材２を取り外す場合は、第１実施例と同様にコイン５をスリット２ｃに差し込み、これを動かしてリップ12ｃと係止突起２ｆとの係合を解除してこれを分離する。この際、ガラス製の容器本体１のくぼみ部12ｂ側面は係止片２ｈによりガードされているので、コイン５の先端５ａがこの部分に接触することなく、コイン５を差し込んだ際、金属とガラスの接触音を防止することができる。また、底部材２の周側片２ｂに直接係止突起を形成した第１実施例に比べ、係止片２ｈの形状、厚さ等を任意に設定することにより肩部材３の係合強度を自由に設定することができる利点がある。
【００１８】
本発明の第３実施例を図８に基づいて説明する。本実施例は、底部材２と容器本体１との係止を接着剤６を用いて行ったものである。図８は異材質組付容器Ｃの一部断面図である。
【００１９】
同図に示すように、本実施例の容器本体１にはリップを形成せず、また底部材２にも係止突起を形成していない。そして、容器本体１の底部１ａに接着剤（ホットメルト）６を点付けし、底部材２の底板２ａをここに接着して、底部材２を固定している。容器Ｃを破棄する際は、コイン５を底部材２のスリット２ｃに挿入して動かすことにより、上記実施例と同様に、底部材２を簡単に取り外すことができる。
【００２０】
このように、接着剤を用いることにより、異材質組付容器をより簡単な構造とすることができ、コストの低い容器とすることができる。なお、底部材２の容器本体１への接着固定は、その他、両面接着テープ等を用いて行うことができることは勿論である。
【００２１】
以上、容器本体１に底部材２を組付けた容器Ａ、Ｂ、Ｃにおいて、スリット２ｃ及び蓋２ｅの形状、さらにそのヒンジ２ｄの形状は多様に考えられ、その例を図９に説明する。同図(a) は、スリット２ｃの上辺の略全長に渡ってヒンジ２d1を形成してものであり、また、同図(b) は、スリット２ｃをトラック形として、その上辺に幅の短いヒンジ２d2を形成したものである。さらに同図(c)は、２つのヒンジ２d3により蓋２ｅを取り付けたものである。さらに、これら例の他、ヒンジをスリット２ｃの下辺に設けることもでき、また、蓋２ｅを縦または横に分割して、両開き構造としてもよいことは勿論である。
【００２２】
本発明の第４実施例を、図10乃至図12を用いて説明する。本実施例は、肩部材３を容器本体１に着脱自在に取り付けた容器Ｄについて説明する。図10は第４実施例の、肩部材を有する異材質組付容器の斜視図、図11及び図12は同容器の一部断面図である。
【００２３】
図10に示すように、第１実施例と同様に、本実施例の容器Ｄの容器本体１はガラス製の円筒体容器であって、上部には外周にネジが形成された首部11が設けられている。
【００２４】
容器本体１の肩部13には、天板３ａと周囲の周側片３ｂから形成される合成樹脂製の肩部材３を、天板３ａの開口部３ｃに首部11を通す状態で嵌合している。また、肩部材３の周側片３ｂには、横長のスリット３ｄが形成されている。このスリット３ｄには、上辺がヒンジ３ｅとなって内側に可倒する蓋３ｆが一体成形されており、この蓋３ｆによってスリット３ｄは通常塞がれている。
【００２５】
図11に示すように、肩部材３の周側片３ｂの内側には係止突起３ｇが形成されており、この係止突起３ｇを肩部13の段部に設けられたリップ13ａに係合させることにより、肩部材３を容器本体１に係止している。また、前記肩部材３のスリット３ｄ位置に対応して、肩部13の一部は大きく内側に凹んでくぼみ部13ｂが形成されており、肩部材３を取り付けた状態では、肩部材３と容器本体１の間に空間４が形成される。
【００２６】
肩部材３を取り外す際は、図12に示すように、コイン５の先端５ａでスリット３の蓋３ｆを倒しながら、コイン５の先端５ａを肩部材３のスリット３ｄに差し込む。そして、把持したコイン５の後端側を押し下げることにより、コイン５の先端５ａを支点としてこれを回動させ、その中途部５ｂにより倒した蓋３ｆを押上げて、肩部材３を上方に引き上げる。この操作により、肩部材３の係止突起３ｇが容器本体１のリップ13ａを乗り越え、係合が解けて、肩部材３を容器本体１から簡単に取り外すことができる。
【００２７】
本発明の第５実施例を、図13及び図14を用いて説明する。図13及び図14は、いずれも本実施例の容器Ｅの肩部分の断面図である。本実施例は、スリット３ｄと蓋３ｆとを連結するヒンジ３ｈをスリット３ｄの下辺部に形成している。
【００２８】
かかる容器Ｅによれば、コイン５を挿入した際、倒れたスリット３ｄの蓋３ｆがコイン５の先端５ａと容器本体１のくぼみ部13ｂとの間に介在し、コイン５に力を加えたとしても、容器本体１を破損させてしまったり、摩擦音が発生することを防止することができる。
【００２９】
なお、上記各実施例では、容器本体に底部材及び肩部材の一方を取り付けた容器を示したが、両方を取り付けた容器とすることもできる。また、いずれの実施例も容器本体をガラスで、肩部材及び底部材を合成樹脂で形成したが、その他スプレー缶のような金属と樹脂を混在させた容器、またはペットボトルのように異なった合成樹脂（例えば、ポリエチレンとポリプロピレン）を用いる容器にも応用できることは勿論である。また使用する板材としてコインを用いて説明したが、マイナスドライバーなど手近なものを使用することができる。
【００３０】
【発明の効果】
本発明に係る異材質部材組付容器は、上述のごとく異材質部材に設けたスリットにコイン等の板状部材を差し込んで動かすことによって、梃子の原理を用いて小さな力で異材質部材を分離させることができる。したがって、商品が使用されている間は異材質部材が不用意に外れることがないよう堅固に取り付けても、廃棄する際には使用者によって、簡単にこれを分離させることができ、分別廃棄することが可能である。
【００３１】
特に、スリットに蓋を形成したので、スリット部分に穴が明くことはなく、美感に優れた容器を構成することができる。
【図面の簡単な説明】
【図１】第１実施例に係る異材質部材組付容器の外観斜視図である。
【図２】第１実施例に係る異材質部材組付容器の側面部分断面図である。
【図３】第１実施例において底部材を外す際の動作を説明する図である。
【図４】第１実施例において底部材を外す際の動作を説明する図である。
【図５】第１実施例において底部材を外す際の動作を説明する図である。
【図６】第２実施例に係る異材質部材組付容器の側面部分断面図である。
【図７】第２実施例において底部材を外す際の動作を説明する図である。
【図８】第３実施例に係る異材質部材組付容器の側面部分断面図である。
【図９】底部材のスリット部分の構造例を示す説明図である。
【図１０】第４実施例に係る異材質部材組付容器の外観斜視図である。
【図１１】第４実施例において肩部材を外す際の動作を説明する図である。
【図１２】第４実施例において肩部材を外す際の動作を説明する図である。
【図１３】第５実施例に係る異材質部材組付容器の側面部分断面図である。
【図１４】第５実施例において肩部材を外す際の動作を説明する図である。
【符号の説明】
Ａ、Ｂ、Ｃ、Ｄ、Ｅ…異材質部材組付容器
１…容器本体
２…底部材（異材質部材）
２ｃ…スリット
２ｄ…ヒンジ
２ｅ…蓋
３…肩部材（異材質部材）
３ｄ…スリット
３ｅ…ヒンジ
３ｆ…蓋
４…空間
５  …コイン（板材）
12  …底部（段部）
13  …肩部（段部）
【図１】
0003751695.tif 000002
【図２】
0003751695.tif 000003
【図３】
0003751695.tif 000004
【図４】
0003751695.tif 000005
【図５】
0003751695.tif 000006
【図６】
0003751695.tif 000007
【図７】
0003751695.tif 000008
【図８】
0003751695.tif 000009
【図９】
0003751695.tif 000010
【図１０】
0003751695.tif 000011
【図１１】
0003751695.tif 000012
【図１２】
0003751695.tif 000013
【図１３】
0003751695.tif 000014
【図１４】
0003751695.tif 000015